(57)【特許請求の範囲】
【請求項１】
放送信号を受信する受信装置であって、
放送信号を受信して所定のチャンネルを選局して復調する複数の受信部と、
前記複数の受信部が出力する複数の復調信号を合成する合成部と、
前記複数の受信部の選局動作と前記合成部の合成処理動作を制御する制御部とを備え、
前記制御部は、
放送電波の受信状態が低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、
前記第１のサーチの結果、視聴チャンネルよりも受信状態が良好な中継局のチャンネルを発見できなかった場合は、第２のサーチとして視聴番組と同一系列の放送局のチャンネルをサーチさせ、
前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせ、
また、前記第２のサーチの結果、視聴チャンネルよりも受信状態が良好な同一系列の放送局のチャンネルを発見できなかった場合は、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴とする受信装置。
【請求項２】
放送信号を受信する受信装置であって、
放送信号を受信して所定のチャンネルを選局して復調する複数の受信部と、
前記複数の受信部が出力する複数の復調信号を合成する合成部と、
現在の位置情報を取得する位置情報取得部と、
前記複数の受信部の選局動作と前記合成部の合成処理動作と前記位置情報取得部の位置情報取得処理を制御する制御部とを備え、
前記制御部は、
放送電波の受信状態が低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、
前記第１のサーチの結果、視聴チャンネルよりも受信状態が良好な中継局のチャンネルが発見できなかった場合は、前記位置情報取得部より取得した現在位置と視聴番組のＴＳに含まれる地域識別情報から得られる放送地域を比較し、
前記現在位置が前記放送地域内である場合は、前記複数の受信部の全てに対して現在の受信チャンネルを選局及び復調させると共に、前記合成部に対して前記複数の復調信号の全てを合成して番組受信を行わせ、
また、前記現在位置が前記放送地域外である場合は、第２のサーチとして視聴番組と同一系列の放送局のチャンネルをサーチさせ、
前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせ、
また、前記第２のサーチの結果、視聴チャンネルよりも受信状態が良好な同一系列の放送局のチャンネルを発見できなかった場合は、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴とする受信装置。
【請求項３】
放送信号を受信する受信装置であって、
放送信号を受信して所定のチャンネルを選局して復調する複数の受信部と、
前記複数の受信部が出力する複数の復調信号を合成する合成部と、
前記複数の受信部の選局動作と前記合成部の合成処理動作を制御する制御部とを備え、
前記制御部は、
放送電波の受信状態が良好な場合は、前記複数の受信部の全てに対して同一チャンネルを選局及び復調させると共に、前記合成部に対して前記複数の復調信号の全てを合成して番組受信を行わせ、
放送電波の受信状態が低下した場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、
前記第１のサーチの結果、視聴チャンネルよりも受信状態が良好な中継局のチャンネルを発見できなかった場合は、第２のサーチとして視聴番組と同一系列の放送局のチャンネルをサーチさせ、
前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせ、
放送電波の受信状態がさらに低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第４のサーチとして所定の候補チャンネルをサーチさせ、
前記第４のサーチの結果、前記所定の候補チャンネルが受信可能であった場合は、前記複数の受信部の全てに対して前記所定の候補チャンネルを選局及び復調させると共に、前記合成部に対して前記複数の復調信号の全てを合成して番組受信を行わせ、
また、前記第４のサーチの結果、前記所定の候補チャンネルが視聴不可であった場合は、所定時間に達するまで前記所定の候補チャンネルのサーチを継続させ、
前記所定時間に達する前に、現在の番組受信チャンネルと前記所定の候補チャンネルのいずれかが視聴可能となった場合には、前記複数の受信部の全てに対して前記視聴可能となった方のチャンネルを選局及び復調させると共に、前記合成部に対して前記複数の復調信号の全てを合成して番組受信を行わせ、
前記所定時間に達するまで、現在の番組受信チャンネルと前記所定の候補チャンネルのいずれもが視聴不可であった場合には、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴とする受信装置。
【請求項４】
請求項３に記載の受信装置において、
前記候補チャンネルとは、
現在の視聴番組に対して直近に受信したチャンネルを用いることを特徴とする受信装置。
【請求項５】
請求項３に記載の受信装置は、
更に現在の位置情報を取得する位置情報取得部を備え、
前記候補チャンネルとは、
受信機の現在位置が視聴番組の放送地域と異なる場合は、受信機の前記現在位置を放送地域とする同一系列の放送局について、直近に受信したチャンネルを用いることを特徴とする受信装置。
【請求項６】
請求項３に記載の受信装置において、
前記候補チャンネルとは、
視聴番組に対する前記第１のサーチを実施した際に、受信可能ではあるが視聴チャンネルよりは受信不良であった直近のチャンネルを用いることを特徴とする受信装置。
【請求項７】
請求項３に記載の受信装置は、
更に現在の位置情報を取得する位置情報取得部を備え、
前記候補チャンネルとは、
受信機の現在位置が視聴番組の放送地域と異なる場合は、受信機の前記現在位置を放送地域とする同一系列の放送局について、視聴番組に対する前記第２のサーチを実施した際に、受信可能ではあるが視聴チャンネルよりは受信不良であった直近のチャンネルを用いることを特徴とする受信装置。
【請求項８】
請求項１乃至請求項７に記載の受信装置において、
中継局サーチを実行する際に探索するチャンネルは、
製品出荷時に予めプリセットした視聴番組の探索対象チャンネルと、視聴番組のＮＩＴに記述されている中継局が使用するチャンネル情報を加えたチャンネルであることを特徴とする受信装置。
【請求項９】
放送信号を受信する受信装置であって、
放送信号を受信して所定のチャンネルを選局して復調する複数の受信部と、
前記複数の受信部が出力する複数の復調信号を合成して伝送路復号を施す第１及び第２の合成・復号部と、
２つの入力端子と２つの出力端子を有し、前記第１及び第２の合成・復号部より出力された２つのＴＳ信号が入力され、前記２つのＴＳ信号の出力端子を切り替え可能なＴＳ接続部と、
前記ＴＳ接続部が出力するＴＳ信号を多重分離・デコード処理して映像及び音声信号を出力するデコード部と、
前記複数の受信部の選局動作と前記第１及び第２の合成・復号部の動作と前記ＴＳ接続部の動作と前記デコード部の動作を制御する制御部とを備え、
前記複数の受信部のうち第１のチャンネルを選局している１つ以上の受信部（第１の受信グループ）より出力される復調信号が前記第１の合成・復号部に供給され、且つ、前記複数の受信部のうち第２のチャンネルを選局している１つ以上の受信部（第２の受信グループ）より出力される復調信号が前記第２の合成・復号部に供給され、さらに、前記第１の合成・復号部より出力されるＴＳ信号が前記ＴＳ接続部を介して前記デコード部に供給されて前記第１のチャンネルに対する多重分離・デコード処理を行っている場合において、
前記複数の受信部の全てが前記第２のチャンネルを選局し、前記デコード部が前記第２のチャンネルに対する多重分離・デコード処理を行うため、
前記制御部は、
まず、前記第１の合成・復号部に対して前記デコード部へのＴＳ信号の出力を停止させると共に、前記ＴＳ接続部に対して前記第２の合成・復号部が出力するＴＳ信号を前記デコード部へ供給させ、続いて、前記第１の受信グループに対して前記第２のチャンネルを選局させ、その後、前記第１の受信グループが出力する復調信号を前記第２の合成・復号部に供給させ、前記第２の合成・復号部に対して前記第１及び第２の受信グループが出力する復調信号を合成して伝送路復号させるように制御することを特徴とする受信装置。
【請求項１０】
請求項１乃至８に記載の受信装置において、
さらにＴＳ信号を入力して多重分離・デコード処理を施して映像及び音声信号を出力するデコード部を備え、
前記合成部が出力する複数のＴＳ信号のいずれか一つが前記デコード部に供給される構成であって、
前記合成部より、番組受信用のＴＳ信号が前記デコード部に供給され、且つ、チャンネルサーチ用のＴＳ信号により中継局又は同一系列の放送局をサーチしている場合において、
前記制御部は、
前記複数の受信部が前記チャンネルサーチで発見したチャンネルを選局し、前記デコード部が前記チャンネルに対する多重分離・デコード処理を行うため、請求項９に記載の切り替え制御を行なうことを特徴とする受信装置。
【発明の詳細な説明】
【技術分野】
【０００１】
本発明は、通信や放送を受信する受信装置に係り、特に移動体に搭載されて移動しながら地上デジタル放送を受信する受信装置に関する。
【背景技術】
【０００２】
一般に放送局は、放送地域内の複数の場所に中継局を設置し、これらの中継局から放送電波を送出することで、放送の受信エリアを拡大している。中継局が同一周波数で送出していれば（ＳＦＮ：Ｓｉｎｇｌｅ  Ｆｒｅｑｕｅｎｃｙ  Ｎｅｔｗｏｒｋ）、別の受信エリアに移動しても、継続して番組を視聴することができる。しかし、中継局が互いに異なる周波数で送出している場合は（ＭＦＮ：Ｍｕｌｔｉ  Ｆｒｅｑｕｅｎｃｙ  Ｎｅｔｗｏｒｋ）、他の受信エリアに移動すると、それまで視聴していた番組が受信できなくなる。
【０００３】
このため、特に自動車などの移動体に搭載された放送受信装置では、別の受信エリアに移動し、視聴していた番組が受信できなくなった場合には、継続して番組を視聴するためにチャンネルサーチを行って受信可能な中継局の放送電波を探索し、チャンネルを再設定する必要がある。このチャンネルサーチを行っている間、番組を視聴できないという不都合があった。
【０００４】
係る課題に鑑み特許文献１では、番組を受信するためのメインチューナと、チャンネルサーチを実行するためのサブチューナを備え、サブチューナで全周波数をサーチして各周波数の受信強度を検出し、受信強度が閾値以上のチャンネルを受信可能とし、これらのチャンネルのみをメインチューナにサーチさせることで、チャンネルサーチの時間短縮を行う方法が開示されている。
【先行技術文献】
【特許文献】
【０００５】
【特許文献１】特開２００６−１３９４５号公報
【発明の概要】
【発明が解決しようとする課題】
【０００６】
しかしながら、上記従来技術では、番組を視聴しながらサブチューナで受信可能なチャンネルをサーチできるという利点があるが、最終的にチャンネル情報更新のためのチャンネルサーチはメインチューナで行うため、この間は番組視聴が中断されてしまうという問題がある。
本発明は、上記問題点に鑑みてなされたものであり、その目的は、受信可能な同一系列の番組を効率良くサーチし、視聴番組を中断させることなく移動先の受信エリアの番組にチャンネルを切り替える受信装置を提供することにある。
【課題を解決するための手段】
【０００７】
本発明は、放送信号を受信する受信装置であって、放送信号を受信して所定のチャンネルを選局して復調する複数の受信部と、前記複数の受信部が出力する複数の復調信号を合成する合成部と、前記複数の受信部の選局動作と前記合成部の合成処理動作を制御する制御部とを備え、前記制御部は、放送電波の受信状態が良好な場合は、前記複数の受信部の全てに対して同一チャンネルを選局及び復調させると共に、前記合成部に対して前記複数の復調信号の全てを合成して番組受信を行わせ、放送電波の受信状態が低下した場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、前記第１のサーチの結果、視聴チャンネルよりも受信状態が良好な中継局のチャンネルを発見できなかった場合は、第２のサーチとして視聴番組と同一系列の放送局のチャンネルをサーチさせ、前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせることを特徴としている。
【０００８】
また本発明は、放送信号を受信する受信装置であって、放送信号を受信して所定のチャンネルを選局して復調する複数の受信部と、前記複数の受信部が出力する複数の復調信号を合成する合成部と、現在の位置情報を取得する位置情報取得部と、前記複数の受信部の選局動作と前記合成部の合成処理動作と前記位置情報取得部の位置情報取得処理を制御する制御部とを備え、前記制御部は、放送電波の受信状態が良好な場合は、前記複数の受信部の全てに対して同一チャンネルを選局及び復調させると共に、前記合成部に対して前記複数の復調信号の全てを合成して番組受信を行わせ、放送電波の受信状態が低下した場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、前記第１のサーチの結果、視聴チャンネルよりも受信状態が良好な中継局のチャンネルを発見できなかった場合は、前記位置情報取得部より取得した現在位置と視聴番組のＴＳに含まれる地域識別情報から得られる放送地域を比較し、前記現在位置が前記放送地域内である場合は、前記複数の受信部の全てに対して現在の受信チャンネルを選局及び復調させると共に、前記合成部に対して前記複数の復調信号の全てを合成して番組受信を行わせ、また、前記現在位置が前記放送地域外である場合は、第２のサーチとして視聴番組と同一系列の放送局のチャンネルをサーチさせ、前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせることを特徴としている。
【０００９】
また本発明は、前記受信装置において、前記放送電波の受信状態が低下した場合とは、受信チャンネルにおいて、ノイズやフェージングなどの妨害要因から受ける影響に対する耐性が相対的に弱い弱階層伝送の番組を視聴できず、これらからの耐性が相対的に強い強階層の番組を視聴している場合であることを特徴としている。
【００１０】
また本発明は、放送信号を受信する受信装置であって、放送信号を受信して所定のチャンネルを選局して復調する複数の受信部と、前記複数の受信部が出力する複数の復調信号を合成する合成部と、前記複数の受信部の選局動作と前記合成部の合成処理動作を制御する制御部とを備え、前記制御部は、放送電波の受信状態が低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、前記第１のサーチの結果、視聴チャンネルよりも受信状態が良好な中継局のチャンネルを発見できなかった場合は、第２のサーチとして視聴番組と同一系列の放送局のチャンネルをサーチさせ、前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせ、また、前記第２のサーチの結果、視聴チャンネルよりも受信状態が良好な同一系列の放送局のチャンネルを発見できなかった場合は、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴としている。
【００１１】
また本発明は、放送信号を受信する受信装置であって、放送信号を受信して所定のチャンネルを選局して復調する複数の受信部と、前記複数の受信部が出力する複数の復調信号を合成する合成部と、現在の位置情報を取得する位置情報取得部と、前記複数の受信部の選局動作と前記合成部の合成処理動作と前記位置情報取得部の位置情報取得処理を制御する制御部とを備え、前記制御部は、放送電波の受信状態が低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第１のサーチとして中継局のチャンネルをサーチさせ、前記第１のサーチの結果、視聴チャンネルよりも受信状態が良好な中継局のチャンネルが発見できなかった場合は、前記位置情報取得部より取得した現在位置と視聴番組のＴＳに含まれる地域識別情報から得られる放送地域を比較し、前記現在位置が前記放送地域内である場合は、前記複数の受信部の全てに対して現在の受信チャンネルを選局及び復調させると共に、前記合成部に対して前記複数の復調信号の全てを合成して番組受信を行わせ、また、前記現在位置が前記放送地域外である場合は、第２のサーチとして視聴番組と同一系列の放送局のチャンネルをサーチさせ、前記第２のサーチの結果、視聴チャンネルよりも受信状態が良好な同一系列の放送局のチャンネルを発見した場合は、前記複数の受信部の全てに対して前記第２のサーチで発見した同一系列の放送局のチャンネルを選局及び復調させると共に、前記合成部に対して前記複数の復調信号の全てを合成して番組受信を行わせ、また、前記第２のサーチの結果、視聴チャンネルよりも受信状態が良好な同一系列の放送局のチャンネルを発見できなかった場合は、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴としている。
【００１２】
また本発明は、前記受信装置において、前記制御部は、放送電波の受信状態がさらに低下し強階層の番組が視聴不可となった場合は、前記複数の受信部を番組受信用とチャンネルサーチ用に分割し、前記合成部に対して前記番組受信用の受信部が出力する複数の復調信号を合成して番組受信を継続させつつ、前記チャンネルサーチ用の受信部が出力する複数の復調信号を合成して第４のサーチとして所定の候補チャンネルをサーチさせ、前記第４のサーチの結果、前記所定の候補チャンネルが受信可能であった場合は、前記複数の受信部の全てに対して前記所定の候補チャンネルを選局及び復調させると共に、前記合成部に対して前記複数の復調信号の全てを合成して番組受信を行わせ、また、前記第４のサーチの結果、前記所定の候補チャンネルが視聴不可であった場合は、所定時間に達するまで前記所定の候補チャンネルのサーチを継続し、前記所定時間に達する前に、現在の番組受信チャンネルと前記所定の候補チャンネルのいずれかが視聴可能となった場合には、前記複数の受信部の全てに対して前記視聴可能となった方のチャンネルを選局及び復調させると共に、前記合成部に対して前記複数の復調信号の全てを合成して番組受信を行わせ、前記所定時間に達するまで、現在の番組受信チャンネルと前記所定の候補チャンネルのいずれもが視聴不可であった場合には、前記合成部に対して前記複数の受信部の全てが出力する前記複数の復調信号を合成させ、第３のサーチとして前記複数の受信部の全てを用いて視聴番組の中継局又は同一系列の放送局のチャンネルをサーチさせることを特徴としている。
【００１３】
また本発明は、前記受信装置において、前記候補チャンネルとは、現在の視聴番組に対して直近に受信したチャンネルを用いることを特徴としている。
また本発明は、前記受信装置において、更に現在の位置情報を取得する位置情報取得部を備え、前記候補チャンネルとは、受信機の現在位置が視聴番組の放送地域と異なる場合は、受信機の前記現在位置を放送地域とする同一系列の放送局について、直近に受信したチャンネルを用いることを特徴としている。
また本発明は、前記受信装置において、前記候補チャンネルとは、視聴番組に対する前記第１のサーチを実施した際に、受信可能ではあるが視聴チャンネルよりは受信不良であった直近のチャンネルを用いることを特徴としている。
【００１４】
また本発明は、前記受信装置において、更に現在の位置情報を取得する位置情報取得部を備え、前記候補チャンネルとは、受信機の現在位置が視聴番組の放送地域と異なる場合は、受信機の前記現在位置を放送地域とする同一系列の放送局について、視聴番組に対する前記第２のサーチを実施した際に、受信可能ではあるが視聴チャンネルよりは受信不良であった直近のチャンネルを用いることを特徴としている。
また本発明は、前記受信装置において、中継局サーチを実行する際に探索するチャンネルは、製品出荷時に予めプリセットした視聴番組の探索対象チャンネルと、視聴番組のＮＩＴに記述されている中継局が使用するチャンネル情報を加えたチャンネルであることを特徴としている。
【００１５】
また本発明は、放送信号を受信する受信装置であって、放送信号を受信して所定のチャンネルを選局して復調する複数の受信部と、前記複数の受信部が出力する複数の復調信号を合成して伝送路復号を施す第１及び第２の合成・復号部と、前記第１及び第２の合成・復号部が出力するＴＳ信号のいずれか一方のＴＳ信号を多重分離・デコード処理を施して映像及び音声信号を出力するデコード部と、前記複数の受信部の選局動作と前記第１及び第２の合成・復号部の動作と前記デコード部の動作を制御する制御部とを備え、前記複数の受信部のうち第１のチャンネルを選局している１つ以上の受信部（第１の受信グループ）より出力される復調信号が前記第１の合成・復号部に供給され、且つ、前記複数の受信部のうち第２のチャンネルを選局している１つ以上の受信部（第２の受信グループ）より出力される復調信号が前記第２の合成・復号部に供給され、さらに、前記第１の合成・復号部より出力されるＴＳ信号が前記デコード部に供給されて前記第１のチャンネルに対する多重分離・デコード処理を行っている場合において、前記複数の受信部の全てが前記第２のチャンネルを選局し、前記デコード部が前記第２のチャンネルに対する多重分離・デコード処理を行うため、前記制御部は、まず、前記第１の合成・復号部に対して前記デコード部へのＴＳ信号の出力を停止させると共に、前記第２の合成・復号部が出力するＴＳ信号を前記デコード部へ供給させ、続いて、前記第１の受信グループに対して前記第２のチャンネルを選局させ、その後、前記第１の受信グループが出力する復調信号を前記第２の合成・復号部に供給させ、前記第２の合成・復号部に対して前記第１及び第２の受信グループが出力する復調信号を合成して伝送路復号させるように制御することを特徴としている。
また本発明は、前記受信装置において、さらにＴＳ信号を入力して多重分離・デコード処理を施して映像及び音声信号を出力するデコード部を備え、前記合成部が出力する複数のＴＳ信号のいずれか一つが前記デコード部に供給される構成であって、前記デコード部に供給される信号の切り替え制御は、前記記載の切り替え制御であることを特徴としている。
【発明の効果】
【００１６】
本発明によれば、受信可能な同一系列の番組を効率良くサーチ可能であると共に、視聴番組を中断させることなく移動先の受信エリアの番組にチャンネルを切り替える受信装置を提供できるという効果がある。
【図面の簡単な説明】
【００１７】
【図１】第１の実施の形態における受信装置１００の構成を示すブロック図である。
【図２】復調・ダイバ合成部１３の構成を示すブロック図である。
【図３】制御部１７の動作を示すフローチャートである。
【図４】チャンネル切り替え時の復調・ダイバ合成部１３の構成を示すブロック図である。
【図５】受信装置１００に位置情報検出部１９を付加したブロック図である。
【図６】制御部１７が格納するデータベース情報である。
【図７】第２の実施の形態における制御部１７の動作を示すフローチャートである。
【図８】第３の実施の形態における制御部１７の動作を示すフローチャートである。
【図９】第４の実施の形態における制御部１７の動作を示すフローチャートである。
【図１０】ステップＳ９０１の詳細動作を示すフローチャートである。
【図１１】第５の実施の形態における制御部１７の動作を示すフローチャートである。
【図１２】ステップＳ１１０１の詳細動作を示すフローチャートの第１の例である。
【図１３】ステップＳ１１０１の詳細動作を示すフローチャートの第２の例である。
【図１４】ステップＳ１１０１の詳細動作を示すフローチャートの第３の例である。
【図１５】ステップＳ１１０１の詳細動作を示すフローチャートの第４の例である。
【図１６】放送地域の一覧である。
【発明を実施するための形態】
【００１８】
以下、本発明の実施の形態につき、図面に基づいて詳細に説明する。
なお、本発明の実施の形態における受信装置では、日本の地上デジタル放送の伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）による放送信号を受信し、ＭＰＥＧ２−ＴＳ（Ｔｒａｎｓｐｏｒｔ  Ｓｔｒｅａｍ）（以下、ＴＳ信号）形式の映像・音声信号をデコードすることができる。ＩＳＤＢ−Ｔでは、１チャンネルの伝送帯域を１３個のセグメントに分割し、それぞれのセグメントを組み合わせて、最大３階層までの階層伝送を行うことができる。
【００１９】
現在、この階層伝送を利用し、１２個のセグメントを使用して固定受信端末向けの高画質な放送（以下、１２セグ放送）と、残りの１個のセグメントを使用して携帯受信端末向けの低画質な放送（以下、ワンセグ放送と称する）が行われている。１２セグ放送とワンセグ放送は、同じ番組内容を放送するサイマル放送が主流である。ここで、１２セグ放送は、伝送容量が大きく高画質な放送であるがノイズ耐性に弱く、放送電波の信号品質が比較的良好でないと正しくデコードできず視聴できない。一方、ワンセグ放送は、伝送容量が小さく低画質な放送であるがノイズ耐性に強く、放送電波の信号品質が比較的劣化していても正常に視聴できるという特徴がある。本発明の実施の形態における受信装置では、１２セグ放送とワンセグ放送の両方の受信機能を有しており、放送電波の信号品質の良否に応じてどちらか一方の映像・音声信号を選択してディスプレイやスピーカなどに出力することができる。
【００２０】
図１６は、地域識別割り当て（ＡＲＩＢ  ＴＲ−Ｂ１４）を示し、各放送事業者は割り当てられた放送対象地域に対し、当該放送があまねく受信できるように同一番組を送出する中継局を設置しており、本発明の実施の形態における受信装置は、視聴番組に関する中継局をサーチする機能を有している。また、放送地域を超えた番組配信を行うなどのために、放送番組の相互配信を行う関係にある放送事業者を系列局と呼び、本発明の実施の形態における受信装置は、視聴番組と同一系列の放送局をサーチする機能を有している。
【実施例１】
【００２１】
図１は、第１の実施の形態における受信装置１００の構成を示すブロック図である。
同図において、１０ａは第１のチューナ部を示し、アンテナ部１１ａ、選局部１２ａを含んでいる。アンテナ部１１ａは、放送電波を受信して選局部１２ａに供給する。選局部１２ａは、供給された放送電波の中から後述する制御部１７より指示されたチャンネルを抽出及び周波数変換を施し、所望のチャンネル信号を復調・ダイバ合成部１３に供給する。
【００２２】
また、１０ｂ〜１０ｄは第２〜第４のチューナ部を示し、チューナ部１０ｂはアンテナ部１１ｂと選局部１２ｂ、チューナ部１０ｃはアンテナ部１１ｃと選局部１２ｃ、チューナ部１０ｄはアンテナ部１１ｄと選局部１２ｄを各々含んでいる。アンテナ部１１ｂ〜１１ｄはアンテナ部１１ａ、選局部１２ｂ〜１２ｄは選局部１２ａと同様な構成であり、説明を省略する。
【００２３】
図２は、復調・ダイバ合成部１３の構成を示すブロック図である。
図２の（ａ）において、１３０ａ〜１３０ｄは各々チューナ部１０ａ〜１０ｄより供給されたチャンネル信号を示す。復調部１３１ａ〜１３１ｄは、各々のチャンネル信号１３０ａ〜１３０ｄに対して、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調処理を行い、復調信号をダイバ合成部１３２ａに供給する。ダイバ合成部１３２ａは、供給された４つの復調信号に対して、ダイバ合成処理を行う。具体的には、各々のＯＦＤＭ復調過程で抽出される複数のサブキャリアについて、サブキャリア毎に重み付け合成する最大比合成法を利用する。そして、ダイバ合成処理された後のダイバ合成信号に対して、伝送路復号部１３３ａにおいて伝送路復号を行い、その結果抽出されたＴＳ信号は、ＴＳ接続部１３４（ａ端子→ｂ端子）を介して、ＴＳ解析部１４ａに出力される。
【００２４】
また、復調・ダイバ合成部１３は、ダイバ合成部１３２ｂと伝送路復号部１３３ｂを備えており、図２の（ｂ）で示すように、復調部１３１ａ及び１３１ｂより供給された２つの復調信号に対してダイバ合成部１３２ａがダイバ合成処理を行い、復調部１３１ｃ及び１３１ｄより供給された２つの復調信号に対してダイバ合成部１３２ｂがダイバ合成処理を行うこともできる。このとき、ダイバ合成部１３２ｂでダイバ合成処理が行われたダイバ合成信号は、伝送路復号部１３３ｂにおいて伝送路復号され、その結果抽出されたＴＳ信号は、ＴＳ接続部１３４を介して（ｃ端子→ｄ端子）、ＴＳ解析部１４ｂに出力される。
【００２５】
但し、ダイバ合成部１３２ａ及び１３２ｂがダイバ合成処理を行う復調信号と復調部の組合せは、上記の組合せに限定されるものではない。
更に、復調・ダイバ合成部１３におけるダイバ合成処理の方法は、最大比合成法に限定されるものではなく、例えば、最大電力のチャンネル信号を選択してその他のチャンネル信号を破棄する選択合成法、各々のチャンネル信号の位相を同一にして合成する等利得合成法などを用いることもできる。
【００２６】
ここで、ダイバ合成部１３２ａ又は１３２ｂにおいてダイバ合成処理を行う復調信号の数が多いほど、ノイズ耐性が向上し走行中の受信状態を良好に保つことができるという特徴がある。
一方、復調・ダイバ合成部１３は、ＯＦＤＭ復調及び伝送路復号を行う際にＢＥＲ（Ｂｉｔ  Ｅｒｒｏｒ  Ｒａｔｅ）、ＰＥＲ（Ｐａｃｋｅｔ  Ｅｒｒｏｒ  Ｒａｔｅ）、ＣＮＲ（Ｃａｒｒｉｅｒ  ｔｏ  Ｎｏｉｓｅ  Ｒａｔｉｏ）、受信電力、同期状態などの受信信号の品質を示す情報（以下、信号品質値）を抽出し、後述する制御部１７に供給する。以下、信号品質値は大きいほど受信状態は良好、小さいほど受信状態は不良であるものとする。
【００２７】
ＴＳ解析部１４ａは、ＴＳ接続部１３４のｂ端子より供給されたＴＳ信号から、番組特定情報（ＰＳＩ：Ｐｒｏｇｒａｍ  Ｓｐｅｃｉｆｉｃ  Ｉｎｆｏｒｍａｔｉｏｎ）及び番組配列情報（ＳＩ：Ｓｅｒｖｉｃｅ  Ｉｎｆｏｒｍａｔｉｏｎ）を抽出し、制御部１７に供給する。また、ＴＳ解析部１４ａは、抽出されたＰＳＩ／ＳＩから映像及び音声が含まれるＴＳパケットの識別子（ＰＩＤ：Ｐａｃｋｅｔ  Ｉｄｅｎｔｉｆｉｅｒ）を抽出し、ＴＳ信号を各ＰＩＤでフィルタリングして映像ＴＳパケット及び音声ＴＳパケットを映像・音声デコード部１５に出力する。また、ＴＳ解析部１４ｂは、ＴＳ接続部１３４のｄ端子より供給されたＴＳ信号から、ＴＳ解析部１４ａと同様にＰＳＩ／ＳＩを抽出し、制御部１７に供給する。
【００２８】
映像・音声デコード部１５は、ＴＳ解析部１４ａより供給された映像及び音声のＴＳパケットをデコードし、デコードされた映像・音声信号をディスプレイやスピーカなどから構成された出力部１６に供給する。映像・音声デコード部１５は、ＭＰＥＧ−２（Ｍｏｖｉｎｇ  Ｐｉｃｔｕｒｅ  Ｅｘｐｅｒｔｓ  Ｇｒｏｕｐ  ２）で符号化されている１２セグ放送、及びＨ．２６４で符号化されているワンセグ放送の両方をデコード可能であり、後述する制御部１７からの指示に基づき、デコードされた１２セグ放送の映像・音声信号又はワンセグ放送の映像・音声信号のうち、どちらか一方を選択し、出力部１６に供給する。
【００２９】
出力部１６は、ディスプレイやスピーカを含み、供給された映像信号をディスプレイに表示し、音声信号をスピーカから出力する。
制御部１７は、受信装置１００の全体及び受信装置１００に含まれる各機能ブロックの動作制御を行う。
操作部１８は、例えば、出力部１６のディスプレイ上に構成されたタッチパネル式の選局ボタン、又はリモコンの選局ボタンなどから構成され、ユーザが選局操作を行うと、制御部１７に選局情報が供給される。
【００３０】
ここで、映像・音声デコード部１５が、１２セグ放送の映像・音声信号とワンセグ放送の映像・音声信号のうち、どちらを選択するべきかを決定するためのアルゴリズムを説明する。制御部１７は、復調・ダイバ合成部１３より供給される視聴チャンネルの信号品質値を監視し、信号品質値が所定条件を満たしている場合は映像・音声デコード部１５に対して１２セグ放送を出力するように制御し、信号品質値が所定条件を満たしていない場合は映像・音声デコード部１５に対してワンセグ放送を出力するように制御する。前述の所定条件として、例えば、１２セグ放送のＢＥＲが１Ｅ−３に相当する信号品質値以上の場合は１２セグ放送、１Ｅ−３に相当する信号品質以下の場合はワンセグ放送を出力するように制御すれば良い。また、例えば、走行時は放送電波の受信状態が大きく変動するため、定期的に取得した複数の信号品質値が全て不良となった場合は１２セグ放送からワンセグ放送、定期的に取得した複数の信号品質値が全て良好となった場合はワンセグ放送から１２セグ放送を出力するように切り替えることで、１２セグ放送とワンセグ放送の頻繁な切り替えの発生を低減することができる。
【００３１】
以下、図３を用いて受信装置１００の受信動作を説明する。
図３は、第１の実施の形態における制御部１７の動作を示すフローチャートである。
ユーザによる選局操作が行われると、操作部１８より制御部１７に対して選局情報が供給され、同図のフローチャートに従い、受信動作を開始する。
【００３２】
まず、ステップＳ３０１において、制御部１７は、操作部１８からの選局情報を受け、視聴チャンネルを選局部１２ａ〜１２ｄに設定する。
次に、ステップＳ３０２で、制御部１７は、図２の（ａ）に示すように、ダイバ合成部１３２ａに対して、４つの復調信号を用いたダイバ合成処理を行わせると共に、伝送路復号部１３３ａより抽出したＴＳ信号をＴＳ接続部１３４（ａ端子→ｂ端子）を介してＴＳ解析部１４ａに出力する。映像・音声デコード部１５でデコードされた映像・音声信号は出力部１６に供給され、これによりユーザは所望の番組を視聴することができる。
【００３３】
次に、ステップＳ３０３において、制御部１７は、前述した１２セグ放送とワンセグ放送の切り替えアルゴリズムにおいて、１２セグ放送からワンセグ放送への切り替えが発生したか否かを監視する。１２セグ放送からワンセグ放送への切り替えが発生していない場合、すなわちユーザが１２セグ放送を視聴している場合は、ワンセグ放送への切り替えが発生するまで、ステップＳ３０３の判定を繰り返し、また、１２セグ放送からワンセグ放送への切り替えが発生した場合は、ステップＳ３０４に進む。但し、前述したステップＳ３０２における４ダイバ合成処理が終了した時点で、１２セグ放送が視聴不可でワンセグ放送を視聴していた場合については、本ステップＳ３０３の判定は実施せずに、ステップＳ３０４に進むものとする。
【００３４】
ステップＳ３０４では、前述したステップＳ３０３とは逆に、ワンセグ放送から１２セグ放送への切り替えが発生したか否かを判定し、１２セグ放送への切り替えが発生した場合はステップＳ３０３に戻り、ワンセグ放送を継続して視聴している場合はステップＳ３０５に進む。続くステップＳ３０５では、ステップＳ３０３において「ＹＥＳ」と判定されてからの時間が設定時間を経過したか否かを判定する。そして、設定時間未満の場合はステップＳ３０４に戻り、設定時間に達した場合はステップＳ３０６に進む。
【００３５】
次に、ステップＳ３０６では、番組受信を継続させながらチャンネルサーチを並行して実行するために、制御部１７は、図２の（ｂ）に示すように、ダイバ合成部１３２ａに対して、復調部１３１ｃ及び１３１ｄより供給される２つの復調信号をダイバ合成処理から切り離し、復調部１３１ａ及び１３１ｂの復調信号を用いたダイバ合成処理を行わせる（以下、復調部１３１ａ及び１３１ｂ、ダイバ合成部１３２ａ、伝送路復号部１３３ａを視聴系統と呼ぶ）。また、制御部１７は、ダイバ合成部１３２ａより切り離された復調部１３１ｃ及び１３１ｄの復調信号をダイバ合成部１３２ｂに出力し、ダイバ合成部１３２ｂはこれら２つの復調信号を用いたダイバ合成処理を行う（以下、復調部１３１ｃ及び１３１ｄ、ダイバ合成部１３２ｂ、伝送路復号部１３３ｂをサーチ系統と呼ぶ）。なお、ダイバ合成部１３２ａ及び１３２ｂに供給される復調信号は上記の組合せに限定されるものではなく、任意の２つの復調信号を用いてダイバ合成処理を行うこともできる。
このように４つの復調信号を用いたダイバ合成処理を分割して、視聴系統とサーチ系統の２系統動作を行わせることでダイバ合成処理によるノイズ耐性の向上効果は減じられるが、番組受信を継続させながらチャンネルサーチを並行して実行することが可能となる。
【００３６】
次に、ステップＳ３０７において、復調・ダイバ合成部１３のサーチ系統側を用いて中継局のチャンネルを探索する。具体的な探索手順を以下に示す。
まず、制御部１７は、サーチ系統側に属する選局部１２ｃ及び１２ｄに対して、中継局が使用するチャンネルの中のいずれか１つを選局する。その結果、復調・ダイバ合成部１３に供給された各々のチャンネル信号１３０ｃ及び１３０ｄは、復調部１３１ｃ及び１３１ｄにて復調処理が行われ、各々の復調信号はダイバ合成部１３２ｂでダイバ合成処理され、伝送路復号部１３３ｂで伝送路復号が行われ、ＴＳ接続部１３４（ｃ端子→ｄ端子）を介してＴＳ信号が抽出される。制御部１７は、サーチ系統より当該チャンネルの信号品質値を取得し、例えば同期状態などから当該チャンネルに放送信号が存在するか否かを判断する。当該チャンネルに放送信号が存在しないと判断した場合は、後述する中継局が使用するその他のチャンネルについての探索処理に進む。当該チャンネルに放送信号が存在すると判断した場合は、ＴＳ解析部１４ｂに対して、ＴＳ解析部１４ｂに供給されたＴＳ信号より、ＰＳＩ／ＳＩを抽出させ、制御部１７に出力させる。制御部１７は、ＰＳＩ／ＳＩの１つであるＮＩＴ（Ｎｅｔｗｏｒｋ  Ｉｎｆｏｒｍａｔｉｏｎ  Ｔａｂｌｅ）を参照し、ＮＩＴに含まれているネットワークＩＤ（ｎｅｔｗｏｒｋ＿ｉｄ）が視聴番組のネットワークＩＤと一致するか否かを判定する。ネットワークＩＤが一致する場合は中継局、一致しない場合は中継局ではないと判断できる。当該チャンネルが中継局であると判定した場合は、復調・ダイバ合成部１３のサーチ系統より、当該チャンネルの信号品質値を取得し、メモリに格納する。ここで、メモリは図１には記載していないが、制御部１７の内部にあっても良いし、制御部１７からアクセスできる位置にあればよい。
【００３７】
上記した探索処理を中継局が使用する全てのチャンネルに対して実行する。なお、中継局が使用する全てのチャンネルに関する情報は、視聴番組のＮＩＴに記述されており、制御部１７は本探索処理を実行する前に、予め視聴番組のＮＩＴに記述された中継局のチャンネル情報をメモリに格納しておく。但し、ＮＩＴに記述されている中継局のチャンネル情報には、実際に使用されている全てのチャンネル情報が記述されているという保障は無い。このため、実際に使用されている中継局のチャンネル情報を調査して受信装置の出荷時にプリセットしておき、視聴番組のＮＩＴを参照した際にプリセットしたチャンネル以外のチャンネルが存在した場合に、当該チャンネルをメモリに追加していけば良い。
【００３８】
次に、ステップＳ３０８では、制御部１７は、まず復調・ダイバ合成部１３より視聴系統の信号品質値を取得し、現在の視聴チャンネルの受信状態を確認する。そして、視聴系統の信号品質値と、前述したステップＳ３０７で取得した最良の信号品質値（但し、現在の視聴チャンネルの信号品質値は対象外）を比較し、前者が大きい場合はステップＳ３１０、後者が大きい場合はステップＳ３０９に進む。
【００３９】
ステップＳ３０９では、ステップＳ３０７で発見した最良の信号品質値を有するチャンネルに視聴チャンネルを切り替える処理を行う。具体的には、図４に示すように、制御部１７は、まず選局部１２ｃ及び１２ｄに対して、切り替え先のチャンネルを選局させる。次に、制御部１７は、ＴＳ接続部１３４のｃ端子とｂ端子を接続し、サーチ系統のＴＳ信号をＴＳ解析部１４ａに供給する。続いて、制御部１７は、選局部１２ａ及び１２ｂに切り替え先のチャンネルを選局し、そして復調部１３１ａ及び１３１ｂの復調信号をダイバ合成部１３２ｂに供給し、ダイバ合成部１３２ｂに対して、４つの復調信号を用いたダイバ合成処理を行わせる。但し、後述するステップＳ３１１の処理において、切り替え先のチャンネルが同一系列の放送局と判定された場合は、それまでの視聴番組とはＴＳ信号のストリーム内容が異なるため、前記したＴＳ接続部１３４の接続先変更時に、映像・音声デコード部１５に対して、デコード処理のリセットをかける。以上の処理により、スムーズなチャンネル切り替えを行うことができる。
【００４０】
一方、ステップＳ３０８において、視聴チャンネルよりも信号品質値が良好な中継局のチャンネルを発見できなかったと判定された場合は、ステップＳ３１０〜Ｓ３１２で他の地域における視聴番組と同一系列の放送局のチャンネルを探索する。具体的な探索手順を以下に示す。
まず、ステップＳ３１０において、制御部１７は、選局部１２ｃ及び１２ｄに対して、後述する「系列局サーチ時のチャンネル選局順序」に基づき、１つ目のチャンネルを選局する。
【００４１】
次に、ステップＳ３１１を説明する。前述したステップＳ３１０で選局した結果、復調・ダイバ合成部１３に供給された各々のチャンネル信号１３０ｃ及び１３０ｄは、復調部１３１ｃ及び１３１ｄにて復調処理が行われ、各々の復調信号はダイバ合成部１３２ｂでダイバ合成処理され、伝送路復号部１３３ｂで伝送路復号が行われてＴＳ信号が抽出される。制御部１７は、サーチ系統より当該チャンネルの信号品質値を取得し、例えば同期状態などから当該チャンネルに放送信号が存在するか否かを判断する。当該チャンネルに放送信号が存在しないと判断した場合は、ステップＳ３１１の処理を中断してステップＳ３１２に進む。当該チャンネルに放送信号が存在する判断した場合は、ＴＳ解析部１４ｂに対して、ＴＳ解析部１４ｂに供給されたＴＳ信号より、ＰＳＩ／ＳＩを抽出させ、制御部１７に出力させる。
【００４２】
制御部１７は、ＰＳＩ／ＳＩ情報の１つであるＢＩＴ（Ｂｒｏａｄｃａｓｔｅｒ  Ｉｎｆｏｒｍａｔｉｏｎ  Ｔａｂｌｅ）を参照し、ＢＩＴに含まれている系列ＩＤ（ａｆｆｉｌｉａｔｉｏｎ＿ｉｄ）が視聴番組の系列ＩＤと一致するか否かを判定する。系列ＩＤが一致する場合は同一系列の放送局、一致しない場合は同一系列の放送局ではないと判断できる。当該チャンネルが同一系列の放送局であると判定した場合、制御部１７は、復調・ダイバ合成部１３のサーチ系統より当該チャンネルの信号品質値、及び視聴系統より現在の視聴チャンネルの信号品質値をそれぞれ取得して両者を比較し、サーチ系統の信号品質値が大きい場合はステップＳ３０９に進み、視聴系統の信号品質値が大きい場合はステップＳ３１２に進む。ステップＳ３０９では、前記の通り、発見した同一系列の放送局のチャンネルへの切り替え処理が行われ、現在の視聴番組よりも受信状態が良好な系列局のチャンネルに切り替えることができる。
【００４３】
ステップＳ３１２では、後述する「系列局サーチ時のチャンネル選局順序」に基づき、次に探索するチャンネルが存在する場合はステップＳ３１０に戻り次のチャンネルを選局させる。他に探索するチャンネルが存在しない場合はステップＳ３１３に進む。ステップＳ３１３では、制御部１７は、選局部１２ｃ及び１２ｄに対して、現在の視聴チャンネルを選局させる。そして、復調・ダイバ合成部１３に対して、図２の（ａ）に示すように、ダイバ合成部１３２ａに対して、４つの復調信号を用いたダイバ合成処理を行わせる。これにより、現在の視聴チャンネルよりも受信状態が良好な中継局又は同一系列の放送局のチャンネルを発見できなかった場合は、チャンネルサーチ前の受信構成に戻すことができる。
【００４４】
ここで、前述した「系列局サーチ時のチャンネル選局順序」について、２例を説明する。
１つ目の例は、地上デジタル放送で使用されている全てのチャンネル（１３〜６２チャンネル、但し２０１２年７月２５日以降は１３〜５２チャンネル）について、チャンネル番号の昇順又は降順に選局を行う方法である。この方法は、後述する２つ目の例と比較して、選局順序の決定方法が単純であるという利点がある。
２つ目の例は、受信機の位置情報、及びメモリに格納したデータベース情報を活用して、同一系列の放送局を効率的に探索する方法である。詳細を以下に説明する。
【００４５】
図５は、図１で示した受信装置１００に、ＧＰＳ（Ｇｌｏｂａｌ  Ｐｏｓｉｔｉｏｎｉｎｇ  Ｓｙｓｔｅｍ）などを利用して受信機の現在位置を取得可能な位置情報検出部１９を加えた構成である。
図６は、制御部１７に予め格納するデータベース情報であって、６０１は、放送地域を単位として各放送局の系列ＩＤや中継局の送信チャンネルなどの情報を整理した放送局データベース、６０２は、各放送地域について隣接地域の情報を整理した隣接地域データベースである。
【００４６】
制御部１７は、位置情報検出部１９より位置情報を取得して受信機が現在位置している放送地域を把握し、放送局データベース６０１より、系列ＩＤを基にして受信機が現在位置している放送地域における同一系列の放送局を調べ、当該放送局の中継局の送信チャンネルを順に選局する。例えば、視聴番組の系列ＩＤ＝３、受信機が現在位置している放送地域が「宮城」の場合は、系列ＩＤ＝３のＴＢＣテレビが使用する中継局の送信チャンネル１８、１９、２２、２３、２７、４４、４５を順に選局する。
【００４７】
また、上記のチャンネルを探索しても受信状態が良好な同一系列の放送局を発見できない場合、制御部１７は、隣接地域データベース６０２を参照し、受信機が現在位置している放送地域に隣接する地域を調べ、各隣接地域に存在する同一系列の放送局が使用する中継局のチャンネルを順に選局する。例えば、視聴番組の系列ＩＤ＝３、受信機が現在位置している放送地域が「宮城」の場合は、隣接地域データベース６０２より「岩手」、「福島」、「山形」を隣接地域として抽出し、放送局データベース６０１より、各隣接地域で系列ＩＤ＝３の放送局が使用する中継局の送信チャンネルを順に探索する。位置情報検出部１９より、受信機の現在位置が「宮城」地域内のさらに詳細な位置が分かれば、その結果を参考にして、複数ある隣接地域に優先順位をつけて探索をすることで、同一系列の放送局の探索効率を向上することが可能となる。
更に、上記のチャンネルを探索しても受信状態が良好な同一系列の放送局を発見できない場合、制御部１７は、地上デジタル放送で使用されている全てのチャンネルのうち、まだ選局を行っていないチャンネルを順に選局する。
【００４８】
以上のように、本実施の形態によれば、高画質な１２セグ放送が視聴可能な場合は番組受信のみとし、視聴番組の電波状態が低下して１２セグ放送が視聴不可となった場合に、ワンセグ放送を視聴しながら中継局のチャンネルを探索し、視聴チャンネルよりも受信状態が良好な中継局のチャンネルに切り替えて視聴することができる。また、受信状態が良好な中継局のチャンネルを発見できなかった場合は、同一系列の放送局のチャンネルを探索し、視聴チャンネルよりも受信状態が良好な同一系列の放送局があれば、そのチャンネルに切り替えて視聴することができる。
【実施例２】
【００４９】
図７は、第２の実施の形態における制御部１７の動作を示すフローチャートである。同図において、図３で示した第１の実施の形態における制御部１７の動作を示すフローチャートとの違いは、ステップＳ７０１の判定処理を追加したことである。また、第２の実施の形態における受信装置１００の構成は、図１に示すブロック図と同様であり、また図５と同様に受信装置１００に対して位置情報検出部１９より受信機の現在位置が通知される。
以下、図７を用いて受信装置１００の受信動作を説明する。図７において、図３で示したフローチャートと同一番号を付したステップは同一処理を示し、説明を省略する。
【００５０】
ステップＳ３０８においてＮＯ判定の場合、すなわち、視聴チャンネルよりも受信状態が良好な中継局のチャンネルを発見できなかった場合、ステップＳ７０１に進む。ステップＳ７０１において、制御部１７は、位置情報検出部１９より位置情報を取得し、受信機が現在位置している放送地域が視聴番組の放送地域と一致するか否かを判定する。受信機が現在位置している放送地域と視聴番組の放送地域が一致する場合は、前述したステップＳ３１３に進み、同一系列の放送局のチャンネルは探索せずに、チャンネルサーチを終了する。また、受信機が現在位置している放送地域と視聴番組の放送地域が一致しない場合は、ステップＳ３１０に進み、第１の実施の形態と同様に、同一系列の放送局を探索する。
【００５１】
ここで、視聴番組の放送地域に関する情報は、視聴番組のＰＳＩ／ＳＩに含まれるサービスＩＤ（ｓｅｒｖｉｃｅ＿ｉｄ）の上位６ビットが地域識別として割り当てられており、この識別番号を参照することで知ることができる。あるいは、図６で示した放送局データベース６０１をメモリに格納している場合は、受信機が現在位置している放送地域に視聴番組の放送局名が記載されていれば、受信機が現在位置している放送地域と視聴番組の放送地域が一致すると判断することができる。
【００５２】
以上のように、本実施の形態によれば、視聴番組の電波状態が低下して１２セグ放送が視聴不可となった場合に、ワンセグ放送を視聴しながら中継局のチャンネルを探索し、視聴チャンネルよりも受信状態が良好な中継局のチャンネルに切り替えて視聴することができる。また、受信状態が良好な中継局のチャンネルを発見できなかった場合、受信機が現在位置している放送地域が視聴番組の放送地域以外に位置していれば、受信機が現在位置している放送地域における同一系列の放送局のチャンネルを探索し、視聴チャンネルよりも受信状態が良好な同一系列の放送局があれば、そのチャンネルに切り替えて視聴することができる。また、受信機が現在位置している放送地域と視聴番組の放送地域が一致する場合には、同一系列の放送局に視聴チャンネルが切り替わる可能性が低く（ステップＳ７０１のＹＥＳ）、同一系列の放送局を探索しないことで、チャンネルサーチに要する時間を短縮し、チャンネルサーチ時に番組視聴のために使用するチューナ部が４つから２つへ減少することによる受信感度の低下を短時間に抑えることができる効果がある。
【実施例３】
【００５３】
図８は、第３の実施の形態における制御部１７の動作を示すフローチャートである。同図において、図３で示した第１の実施の形態における制御部１７の動作を示すフローチャートとの違いは、ステップＳ８０１〜Ｓ８０３を追加したことである。
以下、図８を用いて受信装置１００の受信動作を説明する。なお、図８において、図３で示したフローチャートと同一番号を付したステップは同一処理を示し、説明を省略する。
【００５４】
ステップＳ８０１は、ワンセグ放送を視聴し、かつステップＳ３０３において「ＹＥＳ」判定されてからの時刻が設定時間未満の場合に、繰り返し実行される。ステップＳ８０１において、制御部１７は、１２セグ放送及びワンセグ放送が視聴可能であるか否かを判定し、１２セグ放送及びワンセグ放送の両方が視聴不可となった場合はステップＳ３０６に進み、１２セグ放送又はワンセグ放送が視聴可能である場合はステップＳ３０５に進む。ここで、ワンセグ放送が視聴可能であるか否かの判定は、例えば、復調・ダイバ合成部１３よりワンセグ放送のＢＥＲを取得し、ＢＥＲ≧１Ｅ−２の場合は視聴不可、ＢＥＲ＜１Ｅ−２の場合は視聴可能と判定することができる。あるいは、複数のワンセグ放送のＢＥＲを取得し、これら全てがＢＥＲ≧１Ｅ−２の場合は視聴不可、また複数のワンセグ放送のＢＥＲが全てＢＥＲ＜１Ｅ−２の場合は視聴可能と判定することで、頻繁な切り替わりを低減することができる。更に、例えば、１２セグ放送及びワンセグ放送の両方が視聴不可となった場合に、出力部１５のディスプレイ上に「受信できません」等のメッセージを表示する機能が存在する場合は、メッセージ表示のタイミングと同期して１２セグ放送及びワンセグ放送の両方が視聴不可と判定しても良い。
【００５５】
前述したステップＳ８０１により、ワンセグ放送を視聴している際に放送電波の受信状態が低下して１２セグ放送及びワンセグ放送の両方が視聴不可となった場合に、即座にチャンネルサーチを実行することができる。また、番組受信を継続させながらチャンネルサーチを並行して実行しているため、電波状況が回復した場合は番組視聴が可能になると共に、チャンネルサーチで受信状態が良好な中継局や同一系列の放送局を発見した場合には、当該チャンネルに切り替えて視聴することができる。
【００５６】
次に、ステップＳ３１２において「ＹＥＳ」判定となり、同一系列の放送局の探索処理が終了した場合、ステップＳ８０２に進む。ステップＳ８０２では、制御部１７は、復調・ダイバ合成部１３より視聴系統の信号品質値を取得して現在の視聴チャンネルの視聴可否を判定し、１２セグ放送及びワンセグ放送の両方が視聴不可の場合はステップＳ８０３に進む。また、１２セグ放送又はワンセグ放送が視聴可能の場合は前述したステップＳ３１３に進み、チャンネルサーチ前の４ダイバ合成処理による番組視聴を行う。
【００５７】
ステップＳ８０３では、制御部１７は、まず、復調部１３１ｃ及び１３１ｄの復調処理を停止し、次に復調部１３１ｃ及び１３１ｄの復調信号をダイバ合成部１３２ａに供給し、ダイバ合成部１３２ａに対して、４つの復調信号によるダイバ合成処理を行わせる。そして、制御部１７は、４つのチューナ部１０ａ〜１０ｄを用いて中継局及び同一系列の放送局の探索処理を実施する。具体的には、前述したステップＳ３０７及びＳ３０８と同様に、中継局が使用する全てのチャンネルを探索し、受信状態が最良の中継局のチャンネルを選局する。また、受信可能な中継局を発見できない場合は、前述したステップＳ３１０〜Ｓ３１２と同様に、同一系列の放送局を探索し、受信可能な同一系列の放送局を発見した場合は、当該チャンネルを選局する。更に、同一系列の放送局を発見できなかった場合は、受信可能な中継局又は同一系列の放送局を発見するまで中継局及び同一系列の放送局を繰り返し探索する。
【００５８】
ステップＳ８０２及びＳ８０３の実施により、現在の視聴チャンネルの１２セグ放送及びワンセグ放送の両方が視聴不可で、かつ並行して実施された２つのチューナ部１０ｃ及び１０ｄを用いたチャンネルサーチで中継局又は同一系列の放送局のチャンネルを発見できなかった場合は、視聴チャンネルのチューナ部１０ａ及び１０ｂを含めた４つのチューナ部１０ａ〜１０ｄを用いて受信感度の高いチャンネルサーチを実施することができる。
【実施例４】
【００５９】
図９は、第４の実施の形態における制御部１７の動作を示すフローチャートである。同図において、図３で示した第１の実施の形態における制御部１７の動作を示すフローチャートとの違いは、ステップＳ８０１及びＳ９０１を追加したことである。
以下、図９を用いて受信装置１００の受信動作を説明する。なお、図９において、図３で示したフローチャートと同一番号を付したステップは同一処理を示し、説明を省略する。
【００６０】
ステップＳ８０１は、ワンセグ放送を視聴し、かつステップＳ３０３において「ＹＥＳ」判定されてからの時刻が設定時間未満の場合に、繰り返し実行される。ステップＳ８０１において、制御部１７は、１２セグ放送及びワンセグ放送が視聴可能であるか否かを判定し、１２セグ放送及びワンセグ放送の両方が視聴不可となった場合はステップＳ９０１に進み、１２セグ放送又はワンセグ放送が視聴可能である場合はステップＳ３０５に進む。ここで、ワンセグ放送が視聴可能であるか否かの判定は、例えば、復調・ダイバ合成部１３よりワンセグ放送のＢＥＲを取得し、ＢＥＲ≧１Ｅ−２の場合は視聴不可、ＢＥＲ＜１Ｅ−２の場合は視聴可能と判定することができる。また、例えば、ワンセグ視聴不可となった場合に、出力部１５のディスプレイ上に「受信できません」等のメッセージを表示する機能が存在する場合は、メッセージ表示のタイミングと同期して１２セグ放送及びワンセグ放送の両方が視聴不可と判定しても良い。
【００６１】
次に、ステップＳ９０１の処理手順を図１０を用いて詳細に説明する。図１０は、ステップＳ９０１の動作を示すフローチャートである。
図１０において、まずステップＳ３０６では、制御部１７は、図２の（ｂ）に示すように、ダイバ合成部１３２ａに対して、復調部１３１ｃ及び１３１ｄより供給される２つの復調信号をダイバ合成処理から切り離し、復調部１３１ａ及び１３１ｂの復調信号を用いたダイバ合成処理を行わせる。また、制御部１７は、ダイバ合成部１３２ａより切り離された復調部１３１ｃ及び１３１ｄの復調信号をダイバ合成部１３２ｂに出力し、ダイバ合成部１３２ｂに対してこれら２つの復調信号を用いたダイバ合成処理を行わせる。なお、ダイバ合成部１３２ａ及び１３２ｂに供給される復調信号は上記の組合せに限定されるものではなく、任意の２つの復調信号を用いてダイバ合成処理を行うこともできる。
【００６２】
次に、ステップＳ１００１において、制御部１７は、サーチ系統に割り当てられた選局部１２ｃ及び１２ｄに対して、視聴チャンネルを除き現在地で受信できることが期待できる中継局又は同一系列の放送局のチャンネル（以下、候補チャンネル）を選局する。なお、候補チャンネルは１つであっても複数であっても良く、また候補チャンネルの選び方については後述する。
【００６３】
続いて、ステップＳ１００２では、制御部１７は、まず、復調・ダイバ合成部１３よりサーチ系統の信号品質値を取得し、候補チャンネルの１２セグ放送又はワンセグ放送が視聴可能であるか否かを判定する。そして、候補チャンネルの１２セグ放送又はワンセグ放送が視聴可能である場合は、制御部１７は、ＴＳ解析部１４ｂより供給される候補チャンネルのＰＳＩ／ＳＩからネットワークＩＤや系列ＩＤを抽出し、候補チャンネルが中継局又は同一系列の放送局であるか否かを確認する。もし、候補チャンネルが中継局又は同一系列の放送局であった場合はステップＳ３０９に進み、候補チャンネルの１２セグ放送及びワンセグ放送の両方が視聴不可、又は候補チャンネルの１２セグ放送又はワンセグ放送が視聴可能であっても中継局又は同一系列の放送局ではない場合はステップＳ１００３に進む。
【００６４】
ステップＳ３０９では、候補チャンネルを視聴チャンネルに切り替える処理を行う。具体的には、図４で示したように、制御部１７は、まずＴＳ接続部１３４のｃ端子とｂ端子を接続し、次に選局部１２ａ及び１２ｂに候補チャンネルを選局し、そして復調部１３１ａ及び１３１ｂの復調信号をダイバ合成部１３２ｂに供給し、ダイバ合成部１３２ｂに対して、４つの復調信号を用いたダイバ合成処理を行わせる。但し、候補チャンネルが同一系列の放送局の場合は、それまでの視聴番組とはＴＳ信号のストリーム内容が異なるため、前記したＴＳ接続部１３４の接続先変更時に、映像・音声デコード部１５に対して、デコード処理のリセットをかける。
【００６５】
次に、ステップＳ１００３では、制御部１７は、復調・ダイバ合成部１３より視聴系統の信号品質値を取得し、視聴チャンネルが受信可能であるか否かを判定する。電波状況が回復し、視聴チャンネルが受信可能な状況となった場合はステップＳ３１３に進む。ステップＳ３１３では、前述の通り、制御部１７は、復調部１３１ｃ及び１３１ｄに対して、視聴チャンネルを選局し、復調部１３１ｃ及び１３１ｄの復調信号をダイバ合成部１３２ａに供給し、ダイバ合成部１３２ａに対して、４つの復調信号を用いたダイバ合成処理を行わせる。これにより、４つのチューナ部１０ａ〜１０ｄを用いた番組視聴を行うことができる。
【００６６】
ステップＳ３０５では、図９で示したステップＳ８０１で視聴チャンネルの１２セグ放送及びワンセグ放送の両方が視聴不可となってからの時刻が設定時間を経過したか否かを判定し、設定時間未満の場合はステップＳ１００１に戻り、設定時間に達した場合はステップＳ３０２に進む。
【００６７】
ステップＳ１００１では、候補チャンネルが複数存在する場合には、ステップＳ１００１の処理を行うたびに、他の候補チャンネルについて順番に選局を行っていく。
ステップＳ３０２及びＳ８０３は前述した通り、４つのチューナ部１０ａ〜１０ｄを用いて受信可能な中継局又は同一系列の放送局のチャンネルを発見するまで、繰り返し探索する。
【００６８】
ここで、候補チャンネルの選び方について、一例を説明する。
制御部１７は、各放送局について、直前に視聴していたチャンネルをメモリに格納しておき、現在の視聴番組に対して、最も直近に視聴したチャンネルを候補チャンネルとして選局する。例えば２つの中継エリア間を繰り返し行き来する場合には、直前の視聴チャンネルが最も受信できる可能性が大きく、本手法が有効となる。また、最も直近に視聴したチャンネルから順に過去に視聴した複数のチャンネルを候補チャンネルとしても良い。過去に当該放送局を視聴したことがない場合は、図６に示すように各放送局について最も中心的な機能を果たす局（親局）が送信するチャンネルをあらかじめメモリに格納しておき、当該放送局の親局の送信チャンネルを候補チャンネルとして選局しても良い。
また、別の一例として、制御部１７は、位置情報検出部１９より位置情報を取得し、受信機が現在位置している放送地域が視聴番組の放送地域と異なる場合は、受信機が現在位置している放送地域を放送エリアとする同一系列の放送局に対して、最も直近に視聴したチャンネルを候補チャンネルとして選局することもできる。また、最も直近に視聴したチャンネルから順に過去に視聴した複数のチャンネルを候補チャンネルとしても良い。
【００６９】
また、別の一例として、制御部１７は、前述したステップＳ３０７及びＳ３０８の中継局サーチにおいて、中継局ではあったが受信状態が視聴チャンネルよりも不良であるために切り替えが行われなかったチャンネルをメモリに格納しておき、最も直近にメモリに格納したチャンネルを候補チャンネルとして選局するか、最も直近にメモリに格納したチャンネルから順に過去にメモリに格納した複数のチャンネルを候補チャンネルとしても良い。
また、別の一例として、制御部１７は、前述したステップＳ３１０〜Ｓ３１２の系列局サーチにおいて、同一系列の放送局を発見したが切り替えは行われなかったチャンネルをメモリに格納しておき、位置情報検出部１９より取得した受信機が現在位置している放送地域が視聴番組の放送地域と異なる場合には、受信機が現在位置している放送地域を放送エリアとする同一系列の放送局に対して、最も直近にメモリに格納したチャンネルを候補チャンネルとして選局するか、最も直近にメモリに格納したチャンネルから順に過去にメモリに格納した複数のチャンネルを候補チャンネルとしても良い。
【００７０】
以上により、ワンセグ放送を視聴中に放送電波の受信状態が低下し、ワンセグ放送が視聴不可となった場合に、視聴チャンネル以外に最も受信状態が良好である可能性の高いチャンネルを一つないし複数を候補チャンネルとして選局し、１２セグ放送及びワンセグ放送が視聴可能か否かを確認することができる。また、番組受信を継続しながら候補チャンネルの視聴可否を確認することにより、視聴チャンネルの受信状態が回復し１２セグ放送又はワンセグ放送が視聴可能に戻った場合は、候補チャンネルの視聴確認を中断して４つのチューナ部による番組視聴に戻すことが可能であり、また、候補チャンネルのワンセグ放送が視聴可能となった場合には、候補チャンネルの視聴に切り替えることができる。
【実施例５】
【００７１】
図１１は、第５の実施の形態における制御部１７の動作を示すフローチャートである。同図において、図３で示した第１の実施の形態における制御部１７の動作を示すフローチャートとの違いは、ステップＳ１１０１を追加したことである。
ステップＳ１１０１は、ステップＳ３１１において同一系列の放送局のチャンネルを発見した際に、この系列局に視聴番組を切り替えるか否かを判定する処理である。
図１２〜図１５を用いて、ステップＳ１１０１の具体的な処理手順を説明する。
【００７２】
図１２は、ステップＳ１１０１における処理手順の第１の例である。
ステップＳ１２０１において、制御部１７は、ダイバ合成・復調部１３より視聴系統の信号品質値を取得し、当該視聴チャンネルの１２セグ放送又はワンセグ放送が視聴可能であるか否かを判定する。当該チャンネルの１２セグ放送又はワンセグ放送が視聴不可の場合はステップＳ３０９に進み、ステップＳ３１１において発見した同一系列の放送局のチャンネルに視聴チャンネルを切り替える処理を行う。また、当該チャンネルの１２セグ放送又はワンセグ放送が視聴可能の場合はステップＳ１２０２に進む。ステップＳ１２０２では、使用者に対して、同一系列の放送局への切り替えを行っても良いか否かの確認を促す。例えば、ディスプレイ上に「系列局に切り替えますか？」「はい」「いいえ」のメッセージを表示し、使用者が「はい」「いいえ」のどちらか一方を選択できるようにする。またこのとき、切り替え先の系列局の番組内容を表示すれば、使用者の判断材料の一助とすることができる。
【００７３】
ステップＳ１２０３では、使用者が同一系列の放送局への切り替えを行っても良いと指示した場合はステップＳ３０９に進み、同一系列の放送局のチャンネルに視聴チャンネルを切り替える処理を行い、また、切り替えを行わないと指示した場合は、ステップＳ３１３に進み、同一系列の放送局への切り替えは行わずに、チャンネルサーチを終了して当該チャンネルの視聴を継続する。
以上の処理により、同一番組を放送していない可能性がある系列局にチャンネルを切り替える前に、使用者に切り替えても良いか否かの指示を促すことで、それまで視聴していた番組を見続けたい使用者に対して、配慮のある受信動作を行うことができる。
【００７４】
図１３は、ステップＳ１１０１における処理手順の第２の例である。
まず、前述したステップＳ１２０１において、制御部１７は、ダイバ合成・復調部１３より視聴系統の信号品質値を取得し、当該視聴チャンネルの１２セグ放送又はワンセグ放送が視聴可能であるか否かを判定する。当該チャンネルの１２セグ放送又はワンセグ放送が視聴不可の場合は、発見した同一系列の放送局のチャンネルへ切り替えるステップＳ３０９に進み、当該チャンネルの１２セグ放送又はワンセグ放送が視聴可能の場合は、ステップＳ１３０１に進む。ステップＳ１３０１では、発見した同一系列の放送局のチャンネルをメモリに保持した後、ステップＳ３１３に進み、チャンネルサーチを終了して当該チャンネルの視聴を継続する。ステップＳ１３０１で保持したチャンネルは、次回に同一系列の放送局を探索する処理（ステップＳ３１０〜Ｓ３１２）において、最初にサーチするチャンネルとして利用する。これにより、同一系列の放送局のチャンネルを探索する処理時間を短縮することができる。
【００７５】
図１４は、ステップＳ１１０１における処理手順の第３の例である。
まず、前述したステップＳ１２０１において、制御部１７は、ダイバ合成・復調部１３より視聴系統の信号品質値を取得し、当該視聴チャンネルの１２セグ放送又はワンセグ放送が視聴可能であるか否かを判定する。当該チャンネルの１２セグ放送又はワンセグ放送が視聴不可の場合は、発見した同一系列の放送局のチャンネルへ切り替えるステップＳ３０９に進み、当該チャンネルの１２セグ放送又はワンセグ放送が視聴可能の場合は、ステップＳ１４０１に進む。ステップＳ１４０１では、発見した同一系列の放送局の番組内容が、現在の視聴番組の番組内容と同一であるか否かを確認する。番組内容が同一か否かを確認するためには、例えば、受信装置１００が映像・音声デコード部をもう一つ備えている場合、デコード処理した同一系列の放送局の映像や音声信号を視聴番組の映像や音声信号と比較すればよい。また、別の手段として、ＴＳ解析部より番組内容に関する情報が記載されているＥＩＴ（Ｅｖｅｎｔ  Ｉｎｆｏｒｍａｔｉｏｎ  Ｔａｂｌｅ）を抽出し、番組内容が視聴番組と相関が取れているか否かによって判断することもできる。ただし、同一系列の放送局の番組内容と現在の視聴番組の内容が同一であるか否かを確認する手段は、いずれの手段を用いても本発明の効果を損なうものではなく、あるいは複数の手段を組み合わせて使用しても良い。
ステップＳ１４０２において、番組内容が同一であると確認された場合は、ステップＳ３０９に進み、同一系列の放送局のチャンネルに視聴チャンネルを切り替える処理を行い、また、番組内容が同一でないと確認された場合は、前述したステップＳ１２０２及びＳ１２０３を実行する。
【００７６】
図１５は、ステップＳ１１０１における処理手順の第４の例である。図１５では、前述した図１４の処理と同様に、発見した同一系列の放送局の番組内容が視聴番組と同一か否かを判定する。ステップＳ１４０２において、同一でなかったと判定された場合は、ステップＳ１３０１において、発見した同一系列の放送局のチャンネルをメモリに保持する。ステップＳ１３０１で保持したチャンネルは、次回に同一系列の放送局を探索する処理（ステップＳ３１０〜Ｓ３１２）において、最後にサーチするチャンネルとして利用する。これにより、ステップＳ１３０１で保持したチャンネルまでで同一系列の放送局の探索処理が終了してしまうことを避けることができる。
【００７７】
以上のように、同一系列の放送局の番組内容が視聴番組と一致するか否かを確認し、一致する場合にのみ無条件で系列局にチャンネルを切り替えるため、使用者は同一の番組内容を視聴し続けることができる。
以上に示した本発明の実施の形態において、受信装置１００は、４つのチューナ部１０ａ〜１０ｄを有する構成について説明したが、２つ以上のチューナ部を有する構成であれば、本発明を容易に実施することが可能である。この他にも、実施の形態に対して変更を施した例を考えることができるが、いずれも本発明の範疇にある。
【符号の説明】
【００７８】
１００…受信装置、１０ａ〜１０ｄ…チューナ部、１１ａ〜１１ｄ…アンテナ部、１２ａ〜１２ｄ…選局部、１３…復調・ダイバ合成部、１４ａ、１４ｂ…ＴＳ解析部、１５…映像・音声デコード部、１６…出力部、１７…制御部、１８…操作部、１９…位置情報検出部、１３０ａ〜１３０ｄ…チャンネル信号、１３１ａ〜１３１ｄ…復調部、１３２ａ、１３２ｂ…ダイバ合成部、１３３ａ、１３３ｂ…伝送路復号部、１３４…ＴＳ接続部。
【図１】
0005469121.tif 000002
【図２】
0005469121.tif 000003
【図３】
0005469121.tif 000004
【図４】
0005469121.tif 000005
【図５】
0005469121.tif 000006
【図６】
0005469121.tif 000007
【図７】
0005469121.tif 000008
【図８】
0005469121.tif 000009
【図９】
0005469121.tif 000010
【図１０】
0005469121.tif 000011
【図１１】
0005469121.tif 000012
【図１２】
0005469121.tif 000013
【図１３】
0005469121.tif 000014
【図１４】
0005469121.tif 000015
【図１５】
0005469121.tif 000016
【図１６】
0005469121.tif 000017